(57)【特許請求の範囲】
【請求項１】
ランプが押し付けられることで装着されるソケットと、ソケットが取り付けられる器具本体とを備えた照明器具であって、ソケットの外郭におけるランプの押し付け方向に沿った両側面に外側に突出する段部をそれぞれ設け、該段部に人の手が置かれる支持面をランプと支持面とを片手で押挟める位置にランプの押し付け方向と略垂直に形成したことを特徴とする照明器具。
【発明の詳細な説明】
【０００１】
【発明の属する技術分野】
本発明は、照明器具に関するものである。
【０００２】
【従来の技術】
従来より、図６に示すように、直径寸法の異なる２種類の環型のランプ９０を点灯させるための、例えばプリント配線基板に複数の電子部品を実装して構成されるインバータからなる安定器などが内部に配設された器具本体１０と、器具本体１０に取り付けられ、前記ランプ９０が押し付けられることで装着される２つのソケット８０と、器具本体１０の外周を囲うグローブ７１とを備えて、天井から吊り下げられる照明器具が提供されている。
【０００３】
ソケット８０は、ランプ９０が装着されたとき、ランプ９０の口金部９１に立設された２対のランプピンと接続し、前記安定器とランプ９０とを電気的に接続する端子部（図示せず）と、前記端子部を収納する筐体８１と、筐体８１から外側に突出し、装着されたランプ９０の口金部９１を支持する１対の支持ばね８２とを備えている。
【０００４】
ソケット８０の筐体８１は、器具本体１０の下面側から先端が突出するように取り付けられ、下面略中央部にはランプ９０のランプピンが差し込まれる２対のピン差込孔（図示せず）が開口する受金面８３が形成されており、上記１対の支持ばね８２は、前記受金面８３を間に挟んで略対向している。
【０００５】
また、器具本体１０の下面には、ランプ９０の管体を保持する略逆Ｕ字状に折り曲げられた板ばねからなるランプ保持部６０が２つ配設されている。
【０００６】
上記従来の照明器具に環型のランプ９０を取り付けるときには、まず口金部９１のランプピンが立設された面がソケット８０に略対向し、管体がランプ保持部６０に略対向するようにランプ９０を照明器具の下方に配置し、一方のランプ保持部６０内部にランプ９０の管体を、ランプ保持部６０を外側に撓ませながら挿入する。これにより、前記管体がランプ保持部６０に保持させる。
【０００７】
次に、ソケット８０に口金部９１を押し付ける。これにより、口金部９１がソケット８０の１対の支持ばね８２を外側に撓ませながら内部に挿入されて、ランプ９０がソケット８０に装着される。ランプ９０がソケット８０に装着されたときには、ランプピンがソケット８０の受金面８３のピン差込孔を介して筐体８１内部に挿入し端子部に接続するとともに、１対の支持ばね８２が口金部９１を間に挟んでこれを支持した状態となる。
【０００８】
上述のように照明器具にランプ９０を２つ取り付けたときには、前記２つの直径寸法の異なるランプ９０が器具本体１０の下面側に略同心円状に配置された状態となる。
【０００９】
【発明が解決しようとする課題】
しかしながら、ソケット８０にランプ９０の口金部９１を押し付けて装着するときには、ソケット８０が上方に押されて器具本体１０が傾き、不安定な状態となってしまい、器具本体１０を安定させてランプ９０を装着するためには、両手を使って一方の手で口金部９０を押し付けながら、他方の手で器具本体１０を支持しなければならず、作業性が悪いといった問題があった。
【００１０】
本発明は上記問題点の解決を目的とするものであり、ランプを装着する作業性を向上した照明器具を提供する。
【００１１】
【課題を解決するための手段】
上記目的を達成するために、請求項１の発明は、ランプが押し付けられることで装着されるソケットと、ソケットが取り付けられる器具本体とを備えた照明器具であって、ソケットの外郭におけるランプの押し付け方向に沿った両側面に外側に突出する段部をそれぞれ設け、該段部に人の手が置かれる支持面をランプと支持面とを片手で押挟める位置にランプの押し付け方向と略垂直に形成したことを特徴とし、ランプをソケットに装着するとき、上記支持面をランプの押し付け方向と略垂直であって、ランプと支持面とを片手で押挟める位置に形成したことによって、片手の各指をそれぞれ支持面とランプとに当ててソケットとランプを容易に押挟むことができ、その結果、従来例のように両手を使うことなく、片手で器具本体及びソケットを支持しながらランプをソケットに押し付けて装着することができ、作業性を向上することができる。
【００１２】
【発明の実施の形態】
（実施形態１）
本実施形態は、図１（ａ），（ｂ）に示すように、環型のランプ９０を点灯させるための安定器などが内部に配設された器具本体１０と、器具本体１０に取り付けられ、環型のランプ９０が押し付けられることで装着されるソケット２０と、細長い板ばねからなり、長手方向一端側が器具本体１０に固定され、他端側が略Ｓ字状に折り曲げられてランプ９０の管体を保持する２つのランプ保持部４０と、器具本体１０の外周を囲うセード７０とを備え、環型のランプ９０が１つ取り付けられる。
【００１３】
本実施形態のソケット２０の外郭たる筐体２１は、図２（ａ）〜（ｃ）に示すように、器具本体１０側部に取り付けられる取着部２１ａと、端子部を収納する端子収納部２１ｃと、取着部２１ａと端子収納部２１ｃとを一体に連結するアーム部２１ｂとからなり、全体的に細長く、器具本体１０に取り付けられたときには、器具本体１０から側方下側へ傾いて突出するように形成されている。また、取着部２１ａ及びアーム部２１ｂ内部には、端子収納部２１ｃの内部に収納される端子部と、器具本体１０に配設された安定器とを接続する電線２８が挿通されている。
【００１４】
端子収納部２１ｃの下面は、ランプ９０の口金部９１におけるランプピンが立設された上面側の形状にあわせて、長手方向の両端側が反り上がるように形成されている。この下面には、ランプ９０の口金部９１に設けられた溝部に嵌合する突部２２と２つの嵌合突部２３とが突設されており、突部２２は、略角柱状に形成され、前記下面の長手方向略中央部から下方に突出し、２つの嵌合突部２３は、前記下面長手方向の突部２２の両側で前記下面から下方に突出し、突部２２よりも前記下面短手方向に幅狭であって且つ下方への突出幅が小く形成されている。そして、突部２２の下面には、従来例と同様、２対のピン差込孔２２ａが開口する受金面２２ｂが形成されている。
【００１５】
また、端子収納部２１ｃの下面側には、下方に突出する１対の支持ばね２７，２７が立設されている。この１対の支持ばね２７，２７は、それぞれ突部２２及び２つの嵌合突部２３を間に挟んで互いに略対向し、両支持ばね２７，２７の先端側は、両支持ばね２７，２７の間にランプ９０の口金部９１が挿入されたとき、口金部９１に設けられた係合部に係合するように、内側に折り曲げられている。
【００１６】
さらに、端子収納部２１ｃにおける下面短手方向に略垂直であってランプ９０の押し付け方向に沿った両側面には、外側に突出する略角柱状の段部２４が設けられ、前記両側面の下方側には、それぞれの縁に沿って前記下面短手方向に突出する壁段部２５が、段部２４と一体に設けられている。
【００１７】
そして、アーム部２１ｂ及び端子収納部２１ｃにおける下面短手方向と略垂直な面には、周壁２６が外周縁に沿って前記下面短手方向に突出するように設けられている。
【００１８】
ところで本実施形態では、端子収納部２１ｃ及び段部２４並びに壁段部２５の上面１ａ〜１ｃと、端子収納部２１ｃ上端のアーム部２１ｂと反対側に形成された下方に傾く傾斜面１ｄとを、ソケット２０に略対向させた未装着のランプ９０の口金部９１におけるソケット２０と反対側の下面から、人の手のひらで届く位置に形成している。また、本実施形態では、前記上面１ａ〜１ｃと傾斜面１ｄとを支持面１としており、ランプ９０をソケット２０に押し付けて装着するとき、この支持面１に手を置くことでソケット２０及び器具本体１０が上方に押し上げられるのを抑えて、これらを支持することができる。
【００１９】
ここで、本実施形態にランプ９０を取り付けるときの手順について、図３に基づいて説明する。
【００２０】
まず、ランプ９０の口金部９１のランプピンが立設された上面側が、ソケット２０の端子収納部２１ｃに略対向し、且つランプ９０の管体が２つのランプ保持部４０の先端部に略対向するように、ランプ９０を本実施形態の下側に配置する。
【００２１】
次に、ランプ９０の管体をランプ保持部４０の先端部に引掛けて保持させる。
【００２２】
そして、ランプ９０の口金部９１の上面を端子収納部２１ｃに略対向させた状態で押し上げて、ソケット２０に近付ける。
【００２３】
このとき、本実施形態では支持面１が上述のようにランプ９０の口金部９１の下面から人の手のひらで届く位置にあるので、片手の親指を口金部９１下面に当て、他の４本の指を支持面１に当てて、ソケット２０の端子収納部２１ｃとランプ９０の口金部９１とを片手で押挟むことができる。
【００２４】
このように片手で端子収納部２１ｃと口金部９１を押挟むことで、上記４本の指で支持面１を押圧して、ソケット２０及び器具本体１０が押し上げられて傾かないように支持しながら、親指で口金部９１を端子収納部２１ｃ側に押し付けることができる。口金部９１を押し付けると、口金部９１は１対の支持ばね２７，２７の間に、各支持ばね２７を外側に撓ませながら挿入し、口金部９１に形成された溝部に、端子収納部２１ｃの突部２２及び嵌合突部２３が嵌合して、口金部９１のランプピンが端子収納部２１ｃの受金面２２ｂのピン差込孔に挿入して内部の端子部に接続する。また、前記ランプピンが端子部に接続したときには、両支持ばね２７，２７の先端部が口金部９１の係合部に係合し、ランプ９０が支持される。このように、ランプ９０の口金部９１が押し付けられることで、ランプ９０の口金部９１がソケット２０に装着される。
【００２５】
上述のように本実施形態では、従来例のように両手を使って一方の手でランプ９０を押し付けながら他方の手で器具本体１０を支持することなく、ソケット２０及び器具本体１０を傾けずに安定させた状態で片手で容易にランプ９０をソケット２０に装着することができ、作業性を向上することができる。
【００２６】
また、本実施形態では支持面１をランプ９０の押し付け方向に略垂直となるように形成しているので、ランプ９０を押し付けてソケット９０に装着するとき、ランプ９０の押し付ける向きと逆向きに支持面１を押圧し易く、作業性をさらに向上することができるのである。
（実施形態２）
本実施形態における基本構成は実施形態１と共通するために共通する部分については同一の符号を付して説明を省略し、本実施形態の特徴となる部分についてのみ詳細に説明する。
【００２７】
本実施形態は、図４（ａ），（ｂ）に示すように、実施形態１のランプ保持部４０及びソケット２０の筐体２１の長手方向の長さを短くし、実施形態１よりも直径寸法が小さい環型のランプ９０を１つ取り付けるものである。
【００２８】
本実施形態のソケット２０は、図５に示すように、アーム部２１ｂを短くすることで全体的な長手方向の長さを短くしており、端子収納部２１ｃの上部がアーム部２１ｂに一体に連結するように形成されている。
【００２９】
そして本実施形態では、ソケット２０の端子収納部２１ｃに、実施形態１の支持面１となる上面１ａが形成されておらず、上面１ａの代わりに、アーム部２１ｂにおける器具本体１０と反対側の面であって取着部２１ａから端子収納部２１ｃにかけて外側下向きに傾く傾斜面１ｅと、アーム部２１ｂにおける器具本体１０側の面の端子収納部２１ｃ側で、内側下向きに傾く傾斜面１ｆとが、支持面１として形成されている。
【００３０】
そこで、ソケット２０にランプ９０を装着するときには、支持面１である傾斜面１ｅ，１ｆ及び上面１ｂ，１ｃのうち少なくとも何れか１つと、ランプ９０の口金部９１下面とにそれぞれ指を当てて、片手でソケット９０と口金部９１とを押挟むことで、実施形態１と同様に、器具本体１０を傾けずに安定させた状態でランプ９０をソケット２０に装着することができ、作業性を向上することができる。
【００３１】
【発明の効果】
請求項１の発明は、ランプが押し付けられることで装着されるソケットと、ソケットが取り付けられる器具本体とを備えた照明器具であって、ソケットの外郭におけるランプの押し付け方向に沿った両側面に外側に突出する段部をそれぞれ設け、該段部に人の手が置かれる支持面をランプと支持面とを片手で押挟める位置にランプの押し付け方向と略垂直に形成したので、ランプをソケットに装着するとき、片手の各指をそれぞれ支持面とランプとに当ててソケットとランプを押挟むことができ、その結果、従来例のように両手を使うことなく、片手で器具本体及びソケットを支持しながらランプをソケットに押し付けて装着することができ、作業性を向上することができるという効果がある。
【図面の簡単な説明】
【図１】実施形態１を示す、（ａ）は側面断面図、（ｂ）は下面図である。
【図２】同上のソケットを示す、（ａ）は側面図、（ｂ）は他の側面図、（ｃ）は下面図である。
【図３】同上のランプ取り付け手順を示す説明用の側面断面図である。
【図４】実施形態２を示す、（ａ）は側面断面図、（ｂ）は下面図である。
【図５】同上のソケットを示す側面図である。
【図６】従来例を示す側面断面図である。
【符号の説明】
１  支持面
１０  器具本体
２０  ソケット
４０  ランプ保持部
７０  セード
９０  ランプ
【図１】
0003788918.tif 000002
【図２】
0003788918.tif 000003
【図３】
0003788918.tif 000004
【図４】
0003788918.tif 000005
【図５】
0003788918.tif 000006
【図６】
0003788918.tif 000007